(57)【要約】      （修正有）【課題】キーレス、かつ、コンビネーションロックなどの組み合わせを必要としない施錠システムを提供する。【解決手段】１または２以上の壁を有し、少なくとも一つの壁が密閉設備への開口部となる、密閉設備に用いられる施錠システムであって、適当な信号の受信によって第一壁１２を第二壁１４に対して固定し、及び別の適当な信号の受信によって第一壁１２を第二壁１４から解放する少なくとも１個の施錠装置６と、信号通信を制御するための少なくとも１組の電子装置と、密閉設備のために作られた１つの棚と、ユーザーインタフェース４と、を含み、少なくとも１個の施錠装置６が棚の上または中に設けられている。【選択図】図２
0003204742.tif 000002
【実用新案登録請求の範囲】
【請求項１】
１または２以上の壁を有し、少なくとも一つの壁が密閉設備への開口部となる、密閉設備に用いられる施錠システムであって、
適当な信号の受信によって第一壁を第二壁に対して固定し、及び別の適当な信号の受信によって前記第一壁を前記第二壁から解放する少なくとも１個の施錠装置と、
信号通信を制御するための少なくとも１組の電子装置と、
密閉設備のために作られた１つの棚と、
ユーザーインタフェースと、
を含み、
前記少なくとも１個の施錠装置が前記棚の上または中に設けられている、
ことを特徴とする施錠システム。
【請求項２】
前記施錠装置が高性能形状記憶合金ワイヤーから成ることを特徴とする請求項１項記載の施錠システム。
【請求項３】
前記ユーザーインタフェースが前記電子装置へ接続されたタッチ感知型コンピュータスクリーンであることを特徴とするす請求項１項記載の施錠システム。
【請求項４】
ユーザーがアクセスコードを用い、ユーザーインタフェースを使用して電子装置から適当な信号を送ることにより、第一壁の第二壁からの解放、あるいは第一壁の第二壁に対する固定が行われることを特徴とする請求項３項記載の施錠システム。
【請求項５】
前記電子装置は、前記密閉設備へのアクセスをモニターし及び記録し、及び施錠装置の状態に関して通知するメッセージをユーザーへ送ることができることを特徴とする請求項４項記載の施錠システム。
【請求項６】
複数の施錠装置を制御するため、前記電子装置が２以上の電子装置を配置していることを特徴とする請求項１項記載の施錠システム。
【考案の詳細な説明】
【技術分野】
【０００１】
本考案は仕切り設備に用いる施錠手段に関する。本考案は、より具体的には、情報処理機能を有する密閉設備に用いられる施錠装置あるいは施錠システムに関する。
【背景技術】
【０００２】
ロッカー配列あるいは類似の密閉設備は周知であり、また学校、公共交通機関の駅、ショッピングモールなど、種々場所に見出される。個人所有物を安全に確保する場所の用意に対する要求は高い。現行のロッカーシステムはキーロック、コンビネーションロック、あるいは類似の手動ロックシステムを用いてロッカー設備の安全を確保している。しかるに、キーを紛失し、あるいはコンビネーションコードを忘れてしまえば、ユーザーは自己の所有物へアクセスできず問題となっていた。それゆえ、キーレス、かつ組み合わせを必要としない密閉設備ロック手段の要求があった。
【考案の概要】
【考案が解決しようとする課題】
【０００３】
本考案は、１または２以上の壁であって、それら壁のうちの少なくとも１個の壁は密閉設備の開口を用意するものであって、適当な信号の受信によって第一壁を第二壁に対して固定、及び適当な信号の受信によって第二壁から第一壁を解放する少なくとも１個の施錠装置が備えられる壁と、電子装置と、ユーザーインタフェースを有して構成される密閉設備用施錠システムに関する。本考案の説明を目的として、前記第一壁をロッカードアとし、前記第二壁をロッカー本体上の壁とするが、当業者であれば第一壁及び第二壁は種々の要素から構成可能なことが認識されよう。
【課題を解決するための手段】
【０００４】
前記施錠装置は、好ましくは活性化されると収縮するようになっている材料から作製される。かかる活性化により収縮するようになっている材料は、好ましくは形状記憶合金ワイヤーであって、かつ波形（crimp）のリードが取り付けられている。形状記憶合金は公知であり、通常は主として、あるいはすべてがチタン及びニッケルから成るものである。
形状記憶合金には、アルミニウム、亜鉛、銅などの他の材料が含まれていてもよい。形状記憶合金は、所定の転移温度以下で１つの形状を取り、他方において該転移温度を超えたら第二の形状に変化できる合金である。また、反対に、形状記憶合金は前記転移温度以下まで冷却されると再び前記第一形状を取ることが可能である。本考案の種々の観点との関連において、形状記憶合金はそれが置かれている場所において加熱されると収縮する。現在ニチノール(Nitinol)の登録商標で販売されているものなどの入手可能な形状記憶合金ワイヤーは、加熱により活性化されると約３％収縮可能である。
【０００５】
活性化されると収縮するようになっている材料の活性化は、好ましくは装置へのワイヤーフィードを用いた電気抵抗加熱を経て行われる。形状記憶合金の活性化は、例えばロックセットが配置される家庭の配線システムを用いて中央（管理）位置から指令させることが可能である。また、本考案の範囲内において、前記活性化を、マイクロウェーブ、電磁波、超音波、赤外線、無線周波数によるエネルギーを含む適当な形態のエネルギーを用いて作動される手動操作のツールを用いて遠隔操作によって開始することも可能である。
【０００６】
本考案の種々の観点における考案の範囲は必ずしも形状記憶合金の使用に限定されず、他の材料を用いることも可能である。また、活性化は加熱を介して行われるが、他の適当な活性化方法を用いることもでき、そのような方法も本考案の範囲内に含まれる。
【０００７】
本考案の目的を達成するため、施錠装置は密閉設備（すなわちロッカー）中の調整可能な使用棚中に作製される。該棚中に施錠装置を作製することにより、改装によって他の殆どのロッカー設備へ容易に本施錠装置を取り付けることが可能となる。また、本考案が新たに作製されるロッカー組立設備にも適することは当業者の認識するところである。
【０００８】
ロッカーの前面、あるいは複数のロッカーの付近には、ユーザーインタフェースが設けられる。このインタフェースはコンピュータスクリーン形態に作製され、ロッカー設備を使用するに際してユーザーにいかなる数字の使用をも可能にしている。一つの設定において、特定のユーザー、あるいは異なるユーザーによって荷物をロッカー内に保管することができ、これによってユーザーは荷物へアクセスすることが必要となる。ユーザーが密閉設備へのアクセスを望み、所望される操作を選択すると、ユーザーインタフェースによって即座にアクセスコードが要求される。適切なアクセスコードを有するユーザーだけがアクセスを許可される。アクセスコードが受け入れられると、インタフェースによってアクセスされるべきロッカーがユーザーに示され、その時点でユーザーへのメッセージの伝達が可能となる。これにより、同時に制御電子装置から施錠装置へ信号が送られ、第二壁から第一壁がロック解除され、密閉設備内へのユーザーのアクセスが可能となる。ユーザーがロッカー内から荷物を取り出すと、ユーザーが何時、どのように密閉設備にアクセスしたかについて記録保存される。また、例えば重量を測定することによって何が取り出されたか、ユーザーがどれ位の時間密閉設備にアクセスしていたかなど、他の要素について測定することも可能である。どのような数の要素でもモニター可能であり、またユーザーの必要性に応じて電子装置により記録保存することも可能である。
【０００９】
また別の設定において、ユーザーは、別のユーザーが後日取り出しできるように荷物を残しておくことも可能である。ロッカー内に荷物を入れて置く場合、ユーザーにはロッカーに関する他のオプションが示される。前述したアクセスコードは猶必要であるが、ユーザーには荷物の収容を要する密閉設備の型式を選択する必要もあると考えられる。型式の選択が済めば、ユーザーは密閉設備内に荷物を入れ、ロッカーを施錠するであろう。制御電子装置を介して電子メールや他の電子的メッセージを受信者へ送って、荷物が直ぐにピックアップできることを相手に知らせることも可能である。
【００１０】
しかしながら、あらゆる状況において、施錠システムの管理者には密閉設備へのアクセスが容認される。このことは、ロッカーが空いていることが必須な場合、あるいは学校において例えば先生あるいは他の学校の職員がロッカーへアクセスしなければならない等の緊急時に対応した設定のために特に有益である。
【００１１】
施錠装置及び他のモニター手段に対する信号及びそれらから送られる信号は、無線あるいは有線で制御電子装置へ伝達可能である。無線の場合にはどのような容認される手段を介しても実施可能である。
【００１２】
前記電子装置として、適当なソフトウェアを備えたコンピュータを用いることが可能なことは当業者の認識するところである。また、前記電子装置として、１または２以上の電子装置を所望の方式で取り付けて施錠装置を制御するものでもよいことも当業者の認識するところである。
【図面の簡単な説明】
【００１３】
【図１】閉じた位置にあるロッカーを示した図である。
【図２】開いた位置にあるロッカーを記した図である。
【図３】閉じた位置にあるロッカーを一定角度から見た図である。
【図４】開いた位置にあるロッカーを一定角度から見た図である。
【図５】ユーザーインタフェースの典型的な第一頁の画面表示を示した図である。
【図６】アクセスコードを要求するユーザーインタフェースの画面表示を示した図である。
【図７】ユーザーへ荷物のピックアップに関するメッセージを伝言しているユーザーインタフェースの画面表示を示した図である。
【図８】ユーザーの荷物の預け入れを補助するユーザーインタフェースの画面表示を示した図である。
【図９】荷物の受取人へのメッセージ送付を補助をするユーザーインタフェースの画面表示を示した図である。
【図１０】多数の電子装置によって制御される多数のロッカーの配列を示した略図である。
【図１１】開いた位置にあるロッカーを見た図である。
【図１２】開いた位置における施錠装置の詳細図である。
【考案を実施するための形態】
【００１４】
本考案の他の特長及び視点について、添付図面の説明及び以下に記載する好ましい実施態様の詳細な説明によって明らかにする。
【００１５】
図１〜４及び図１０〜１２は、ロッカー等の密閉設備２用の施錠システムを示した図である。ロッカー２の前面にあるのは、ユーザーインタフェース４である。このユーザーインタフェースは、ユーザーのロッカー２へのアクセスを補助するためのものである。施錠システムには、第一壁１２の第二壁１４に対する固定、あるいは第一壁１２を第二壁１４から固定解除する施錠装置６が含まれる。施錠装置６は、図１〜４に示すような既存ロッカー２、あるいは図１０〜１２に示すような現在使用中のロッカー２中へ改装設置可能な可調節棚１０内に収容可能である。
【００１６】
図５〜９はユーザーインタフェース４によって形成可能な画面表示の詳細図である。ユーザーがロッカー２へアクセスを望む場合、ユーザーはユーザーインタフェース４上の指示に従わなければならない。ロッカー２をロック解除しなければ荷物へアクセスできない状況において、ユーザーはユーザーインタフェース４を介して施錠装置を作動し、ユーザーインタフェースは電子装置８からの信号を介して施錠装置６をロック解除させなければならないことを施錠装置６に伝達して第一壁１２を第二壁１４から解放し、ユーザーのアクセスを可能とする。
【００１７】
ユーザーがロッカー２を固定する必要がある時は、部品６ａと部品６ｂを結合させる施錠装置６を介して第一壁が第二壁と接合され、及びユーザーインタフェース４は制御電子装置８を経由して信号を受け取り、その信号に随って応答する。
【００１８】
本考案の精神及び範囲を限定することなく、本願において説明した実施態様に対して変形を行うことが可能なことが理解されよう。
【産業上の利用可能性】
【００１９】
本願開示に係る考案が、記載された実施例に限定されず、また多分野の広範囲に亘って適用され、関連技術における進歩に寄与するものであることは種々技術分野の当業者によって容易に理解されよう。特に、本考案により、従来技術による密閉設備用施錠システムに比較してさらに洗練され、最新技術の適用を可能とした施錠システムが提供される。
【図１】
0003204742.tif 000003
【図２】
0003204742.tif 000004
【図３】
0003204742.tif 000005
【図４】
0003204742.tif 000006
【図５】
0003204742.tif 000007
【図６】
0003204742.tif 000008
【図７】
0003204742.tif 000009
【図８】
0003204742.tif 000010
【図９】
0003204742.tif 000011
【図１０】
0003204742.tif 000012
【図１１】
0003204742.tif 000013
【図１２】
0003204742.tif 000014
【手続補正書】
【提出日】平成28年4月12日(2016.4.12)
【手続補正１】
【補正対象書類名】実用新案登録請求の範囲
【補正対象項目名】全文
【補正方法】変更
【補正の内容】
【実用新案登録請求の範囲】
【請求項１】
第一壁及び第二壁を含む２以上の壁を有する密閉設備であり、前記第一壁及び前記第二壁の一方が前記密閉設備への開口部となる、前記密閉設備に用いられる施錠システムであって、
適当な信号の受信によって前記第一壁を前記第二壁に対して固定し、及び別の適当な信号の受信によって前記第一壁を前記第二壁から開放する少なくとも１個の施錠装置と、
前記適当な信号の通信を制御するための少なくとも１組の電子装置と、
前記密閉設備の内部に作られた１つの棚と、
前記第一壁または前記第二壁の前面に設けられ、前記電子装置を介して前記施錠装置にアクセスするためのユーザーインターフェースと、
を含み、
前記少なくとも１個の施錠装置が前記棚の上または中に設けられている、
ことを特徴とする施錠システム。
【請求項２】
前記施錠装置が高性能形状記憶合金ワイヤーから成ることを特徴とする請求項１項記載の施錠システム。
【請求項３】
前記ユーザーインタフェースが前記電子装置へ接続されたタッチ感知型コンピュータスクリーンであることを特徴とする請求項１項記載の施錠システム。
【請求項４】
ユーザーがアクセスコードを用い、ユーザーインタフェースを使用して電子装置から適当な信号を送ることにより、第一壁の第二壁からの解放、あるいは第一壁の第二壁に対する固定が行われることを特徴とする請求項３項記載の施錠システム。
【請求項５】
前記電子装置は、前記密閉設備へのアクセスをモニターし及び記録し、及び施錠装置の状態に関して通知するメッセージをユーザーへ送ることができることを特徴とする請求項４項記載の施錠システム。
【請求項６】
複数の施錠装置を制御するため、前記電子装置が２以上の電子装置を配置していることを特徴とする請求項１項記載の施錠システム。